(57)【要約】  【課題】  モニタ室内機のユーザはモニタ表示部の訪問者の映像を見なければ、訪問者が誰であるかを認識することができない。  【解決手段】  訪問者を検知する子機２と、訪問者を検知すると、訪問者の来訪を報知するスピーカ５１を備えた親機３とを有するテレビドアホン装置１であって、訪問者を識別するＱＲコード毎に、訪問者を識別報知する音楽情報を記憶しておき、子機２側の近接センサ１１にてＱＲコードを記録した訪問者の携帯電話機１００を検知すると、子機２側のＣＣＤカメラ１３にて携帯電話機１００に表示中のＱＲコードの撮像動作を開始し、親機側のシステム制御部７０にて、このＣＣＤカメラにて撮像したＱＲコードに対応する音楽情報を読み出し、この音楽情報をスピーカ出力するようにした。【選択図】  図１
2006054591.tif 000002
【特許請求の範囲】
【請求項１】
訪問者を検知する室外ドアホンと、前記室外ドアホンにて前記訪問者を検知すると、前記訪問者の来訪を報知する訪問者報知手段を備えたモニタ室内機とを有するドアホン装置であって、
前記訪問者を識別する訪問者識別情報毎に個人識別報知情報を記憶管理する記憶手段と、
前記訪問者識別情報を記録した前記訪問者の記録媒体を検知する記録媒体検知手段と、
前記記録媒体検知手段にて前記記録媒体を検知すると、前記記録媒体に記録された前記訪問者識別情報を検出する訪問者識別情報検出手段と、
前記訪問者識別情報検出手段にて前記訪問者識別情報を検出すると、前記訪問者識別情報に対応した前記個人識別報知情報を前記記憶手段から読み出し、この読み出した個人識別報知情報を報知出力させるべく、前記訪問者報知手段を制御する制御手段とを有することを特徴とするドアホン装置。
【請求項２】
前記個人識別報知情報は、前記訪問者個人を音声識別する個人識別音声情報に相当し、
前記制御手段は、
前記訪問者識別情報検出手段にて前記訪問者識別情報を検出すると、前記訪問者識別情報に対応した前記個人識別音声情報を前記記憶手段から読み出し、この読み出した個人識別音声情報を音声出力させるべく、前記訪問者報知手段を制御することを特徴とする請求項１記載のドアホン装置。
【請求項３】
前記個人識別報知情報は、前記訪問者個人を画像識別する個人識別表示情報に相当し、
前記制御手段は、
前記訪問者識別情報検出手段にて前記訪問者識別情報を検出すると、前記訪問者識別情報に対応した前記個人識別表示情報を前記記憶手段から読み出し、この読み出した個人識別表示情報を表示出力させるべく、前記訪問者報知手段を制御することを特徴とする請求項１又は２記載のドアホン装置。
【請求項４】
前記記憶手段に訪問者識別情報が記憶更新されると、前記訪問者識別情報に該当する訪問者に対して、前記記憶更新された訪問者識別情報を電子メールで提供する電子メール提供手段を有することを特徴とする請求項１，２又は３記載のドアホン装置。
【請求項５】
前記記憶手段に訪問者識別情報が記憶更新されると、前記訪問者識別情報に該当する訪問者に対して、前記記憶更新された訪問者識別情報をウェブで提供するウェブ提供手段を有することを特徴とする請求項１，２，３又は４記載のドアホン装置。
【請求項６】
前記訪問者識別情報検出手段は、
前記訪問者の携帯端末機に画面表示される前記訪問者識別情報を検出することを特徴とする請求項１、２、３、４又は５記載のドアホン装置。
【請求項７】
前記訪問者識別情報は、前記訪問者を識別する二次元コードに相当し、
前記訪問者識別情報検出手段は、
前記二次元コードを記録した記録媒体から前記二次元コードを検出する二次元コード検出手段を有し、
前記制御手段は、
前記二次元コード検出手段にて前記二次元コードを検出すると、前記二次元コードに対応した前記個人識別報知情報を前記記憶手段から読み出し、この読み出した個人識別報知情報を報知出力させるべく、前記訪問者報知手段を制御することを特徴とする請求項１,２,３,４,５又は６記載のドアホン装置。
【請求項８】
訪問者を検知すると、撮像動作を開始する撮像手段を備えた室外ドアホンと、前記室外ドアホンにて前記訪問者を検知すると、前記訪問者の来訪を報知すると共に、前記撮像手段にて撮像した映像を表示する訪問者報知手段を備えたモニタ室内機とを有するドアホン装置であって、
前記室外ドアホンは、
前記訪問者を識別する二次元コードを記録した前記訪問者の記録媒体を検知する記録媒体検知手段と、
前記記録媒体検知手段にて前記記録媒体を検知すると、前記撮像手段にて前記記録媒体の撮像動作を開始し、前記撮像手段にて撮像した前記記録媒体の映像から前記二次元コードを検出する二次元コード検出手段とを有し、
前記モニタ室内機は、
前記二次元コード毎に、前記訪問者を音声識別する個人識別音声情報を記憶管理する記憶手段と、
前記二次元コード検出手段にて前記二次元コードを検出すると、前記二次元コードに対応した前記個人識別音声情報を前記記憶手段から読み出し、この読み出した個人識別音声情報を音声出力させるべく、前記訪問者報知手段を制御する制御手段とを有することを特徴とするドアホン装置。
【請求項９】
前記モニタ室内機は、
前記訪問者を識別する新規の二次元コードを入力する二次元コード入力手段を有し、
前記制御手段は、
前記二次元コード入力手段による前記新規の二次元コードの入力を検出すると、前記新規の二次元コードを前記記憶手段に記憶することを特徴とする請求項８記載のドアホン装置。
【請求項１０】
前記モニタ室内機は、
前記記憶手段に二次元コードが記憶更新されると、前記二次元コードに該当する訪問者に対して、前記記憶更新された二次元コードを電子メールで提供する電子メール提供手段を有することを特徴とする請求項９記載のドアホン装置。
【請求項１１】
前記モニタ室内機は、
前記記憶手段に二次元コードが記憶更新されると、前記二次元コードに該当する訪問者に対して、前記記憶更新された二次元コードをウェブで提供するウェブ提供手段を有することを特徴とする請求項９又は１０記載のドアホン装置。
【請求項１２】
前記記憶手段は、
前記二次元コード毎に同二次元コードの有効期限を示す有効期限情報を記憶管理し、
前記モニタ室内機は、
現在日時を計時する計時手段と、
前記二次元コード検出手段にて前記二次元コードを検出すると、前記二次元コードに対応した前記有効期限情報を前記記憶手段から読み出し、前記計時手段の計時結果に基づき、この読み出した有効期限情報が有効期限内であるか否かを判定する有効期限判定手段とを有し、
前記制御手段は、
前記有効期限判定手段にて前記有効期限情報が有効期限内であると判定されると、前記二次元コードに対応した前記個人識別音声情報を前記記憶手段から読み出すと共に、前記有効期限判定手段にて前記有効期限情報が有効期限内でないと判定されると、前記二次元コードに対応した前記個人識別音声情報の読み出し動作を禁止することを特徴とする請求項８，９，１０又は１１記載のドアホン装置。
【請求項１３】
前記個人識別音声情報に使用する音楽情報をインターネット経由でダウンロードする音楽情報ダウンロード手段を有し、
前記制御手段は、
前記音楽情報ダウンロード手段にてダウンロードした前記音楽情報を、前記二次元コードと対応付けて、前記個人識別音声情報として前記記憶手段に記憶することを特徴とする請求項８，９，１０、１１又は１２記載のドアホン装置。
【請求項１４】
前記記憶手段は、
前記モニタ室内機に対して着脱可能な記憶媒体で構成することを特徴とする請求項８，９，１０，１１，１２又は１３記載のドアホン装置。
【請求項１５】
前記記憶手段は、
前記二次元コード毎に、ドアに配置した電気錠の解錠及び施錠を制御する電気錠情報とを記憶管理し、
前記制御手段は、
前記二次元コード検出手段にて前記二次元コードを検出すると、前記二次元コードに対応した前記電気錠情報を前記記憶手段から読み出し、この電気錠情報に基づき、前記電気錠を制御することを特徴とする請求項８，９、１０、１１、１２，１３又は１４記載のドアホン装置。
【請求項１６】
前記室外ドアホンは、
前記二次元コード検出手段にて前記二次元コードを検出すると、この検出結果を報知出力する検出結果報知手段を有することを特徴とする請求項８,９，１０，１１，１２，１３，１４又は１５記載のドアホン装置。
【請求項１７】
前記モニタ室内機は、
前記撮像手段にて撮像した映像を録画する録画手段を有し、
前記制御手段は、
前記二次元コード検出手段にて前記二次元コードを検出すると、前記撮像手段にて撮像した映像の録画を禁止すべく、前記録画手段を制御することを特徴とする請求項８,９,１０，１１，１２，１３，１４，１５又は１６記載のドアホン装置。
【請求項１８】
前記記憶手段は、
前記二次元コードを識別する識別番号毎に、少なくとも前記個人識別音声情報と、前記二次元コードとを記憶管理するテーブルを有することを特徴とする請求項８,９,１０，１１，１２，１３，１４，１５、１６又は１７記載のドアホン装置。
【請求項１９】
前記二次元コードは、クイックレスポンスコードであることを特徴とする請求項８,９,１０，１１，１２，１３，１４，１５、１６、１７又は１８記載のドアホン装置。
【請求項２０】
訪問者を識別する二次元コードに対応付けて、前記訪問者を音声識別する個人識別音声情報をモニタ室内機内の記憶手段に記憶するステップと、
前記二次元コードを記録した前記訪問者の記録媒体を室外ドアホン側で検知するステップと、
前記室外ドアホンにて前記記録媒体を検知すると、前記記録媒体の撮像動作を開始するステップと、
前記撮像した前記記録媒体の映像から前記二次元コードを検出するステップと、
前記二次元コードを検出すると、前記二次元コードに対応した個人識別音声情報を前記記憶手段から読み出すステップと、
前記個人識別音声情報を読み出すと、この読み出した個人識別音声情報に基づき、前記訪問者の来訪を報知出力するステップとを有することを特徴とするドアホン装置の訪問者報知方法。
【発明の詳細な説明】
【技術分野】
【０００１】
本発明は、玄関外側に配置され、訪問者を検知する、例えばテレビドアホン子機等の室外ドアホンと、この室外ドアホンにて訪問者を検知すると、訪問者の来訪を報知出力する、ために室内に配置された、例えばテレビドアホン親機等のモニタ室内機とを有する、例えばテレビドアホン装置等のドアホン装置及びドアホン装置の訪問者報知方法に関する。
【背景技術】
【０００２】
近年、一般住宅への押し込み強盗や押し売り販売等の犯罪行為が増加している中、このような犯罪行為を未然に防ぐために、様々な防犯システムが開発されている。
【０００３】
そこで、このような防犯システムの一つとしてドアホン装置があげられる。
【０００４】
従来、このようなドアホン装置としては、玄関外側に配置され、ＣＣＤカメラを内蔵した室外ドアホンと、モニタを備えたモニタ室内機とを有し、モニタ室内機は、室外ドアホンにて訪問者を検知すると、ＣＣＤカメラにて訪問者を撮像し、この訪問者の撮像映像をモニタに表示するようにしたものが知られている（例えば特許文献１参照）。
【０００５】
このような特許文献１のドアホン装置によれば、室外ドアホンにて訪問者を検知すると、ＣＣＤカメラの撮像動作を開始し、このＣＣＤカメラにて撮像した訪問者の映像をモニタ室内機のモニタに表示するようにしたので、モニタ室内機のユーザは、玄関に赴かなくても、訪問者に応対することなく、モニタ表示で訪問者が誰であるかを認識することができる。
【０００６】
また、近年ではクイックレスポンスコード（以下、単にＱＲコードと称する）等の二次元コードが広く普及しつつあるが、このような二次元コードを利用した防犯システムとして、玄関ドアの電気錠装置が知られている（例えば特許文献２参照）。
【０００７】
この特許文献２の電気錠装置は、玄関ドアを施錠又は解錠する電気錠と、この電気錠を駆動制御する電気錠装置本体とを有し、電気錠の鍵情報を二次元コードで記録した記録媒体をユーザに予め携帯させ、電気錠装置本体は、記録媒体から二次元コードを光学的に読み取る読取手段と、この読取手段にて読み取った二次元コードから鍵情報を検出し、この鍵情報と予め定めた照合情報とを比較し、鍵情報が照合情報と合致していると判定されると、電気錠を解錠すると共に、鍵情報が照合情報と合致してないと判定されると、電気錠の解錠を禁止する電気錠制御手段とを有している。
【０００８】
この特許文献２の電気錠装置によれば、二次元コードが、例えば６ｍｍ角のシンボルに多数の文字を格納することができることに着目し、文字列の組み合わせである鍵情報を二次元コードで生成するようにしたので、安価で、しかも防犯効果に優れた電気錠装置を提供することができる。
【特許文献１】特開２０００−３６９５４号公報(図１及び要約書参照)
【特許文献２】特開２００２−１４７０８１号公報（図１及び要約書参照）
【発明の開示】
【発明が解決しようとする課題】
【０００９】
しかしながら、上記従来のドアホン装置によれば、室外ドアホンにて訪問者の来訪を検知すると、室外ドアホンのＣＣＤカメラにて撮像した訪問者の映像をモニタ室内機のモニタに表示するようにしたが、モニタ室内機のユーザは、モニタの映像表示を見なければ、訪問者が誰であるかを認識することができない。
【００１０】
また、安価で防犯効果に優れた二次元コードを使用したタイプのドアホン装置が未だに提案されていないのが現状である。
【００１１】
本発明は上記点に鑑みてなされたものであり、その目的とするところは、モニタ室内機のユーザが、撮像した映像のモニタ表示を見なくても、訪問者が誰であるかを認識することができる防犯効果に優れたドアホン装置及びドアホン装置の訪問者報知方法を提供することにある。
【課題を解決するための手段】
【００１２】
上記目的を達成するために本発明のドアホン装置は、訪問者を検知する室外ドアホンと、前記室外ドアホンにて前記訪問者を検知すると、前記訪問者の来訪を報知する訪問者報知手段を備えたモニタ室内機とを有するドアホン装置であって、前記訪問者を識別する訪問者識別情報毎に個人識別報知情報を記憶管理する記憶手段と、前記訪問者識別情報を記録した前記訪問者の記録媒体を検知する記録媒体検知手段と、前記記録媒体検知手段にて前記記録媒体を検知すると、前記記録媒体に記録された前記訪問者識別情報を検出する訪問者識別情報検出手段と、前記訪問者識別情報検出手段にて前記訪問者識別情報を検出すると、前記訪問者識別情報に対応した前記個人識別報知情報を前記記憶手段から読み出し、この読み出した個人識別報知情報を報知出力させるべく、前記訪問者報知手段を制御する制御手段とを有するようにした。
【００１３】
本発明のドアホン装置の訪問者報知方法は、訪問者を識別する二次元コードに対応付けて、前記訪問者を音声識別する個人識別音声情報をモニタ室内機内の記憶手段に記憶するステップと、前記二次元コードを記録した前記訪問者の記録媒体を室外ドアホン側で検知するステップと、前記室外ドアホンにて前記記録媒体を検知すると、前記記録媒体の撮像動作を開始するステップと、前記撮像した前記記録媒体の映像から前記二次元コードを検出するステップと、前記二次元コードを検出すると、前記二次元コードに対応した個人識別音声情報を前記記憶手段から読み出すステップと、前記個人識別音声情報を読み出すと、この読み出した個人識別音声情報に基づき、前記訪問者の来訪を報知出力するステップとを有するようにした。
【発明の効果】
【００１４】
上記のように構成された本発明のドアホン装置によれば、訪問者を識別する訪問者識別情報、例えば二次元コード毎に訪問者を識別報知する個人識別報知情報、例えばテーマ音楽や個人音声等を予め記憶しておき、訪問者の記録媒体を検知すると、訪問者の訪問者識別情報を検出し、この訪問者識別情報に対応した記憶中の個人識別報知情報を読み出し、この個人識別報知情報を報知出力するようにしたので、モニタ室内機のユーザは、個人識別報知情報の報知内容に基づき、例えばモニタ表示の撮影映像を見なくても、訪問者が誰であるかを認識することができ、さらには、利便性に優れたドアホン装置を提供することができる。
【００１５】
本発明のドアホン装置の訪問者報知方法によれば、訪問者を識別する二次元コードに対応付けて、前記訪問者を音声識別する個人識別音声情報、例えばテーマ音楽や個人音声等を記憶しておき、室外ドアホンにて訪問者の記録媒体を検知すると、記録媒体の撮像動作を開始し、この撮像した記録媒体の映像から二次元コードを検出し、この二次元コードに対応した個人識別音声情報を読み出し、この個人識別音声情報に基づき、前記訪問者の来訪を音声出力するようにしたので、モニタ室内機のユーザは、個人識別音声情報を受聴することで、モニタ表示の撮影映像を見なくても、訪問者が誰であるかを認識することができ、利便性の向上を図ることができる。
【発明を実施するための最良の形態】
【００１６】
本願請求項1記載のドアホン装置は、訪問者を検知する室外ドアホンと、前記室外ドアホンにて前記訪問者を検知すると、前記訪問者の来訪を報知する訪問者報知手段を備えたモニタ室内機とを有するドアホン装置であって、前記訪問者を識別する訪問者識別情報毎に個人識別報知情報を記憶管理する記憶手段と、前記訪問者識別情報を記録した前記訪問者の記録媒体を検知する記録媒体検知手段と、前記記録媒体検知手段にて前記記録媒体を検知すると、前記記録媒体に記録された前記訪問者識別情報を検出する訪問者識別情報検出手段と、前記訪問者識別情報検出手段にて前記訪問者識別情報を検出すると、前記訪問者識別情報に対応した前記個人識別報知情報を前記記憶手段から読み出し、この読み出した個人識別報知情報を報知出力させるべく、前記訪問者報知手段を制御する制御手段とを有するようにした。
【００１７】
従って、本願請求項1記載のドアホン装置によれば、訪問者を識別する訪問者識別情報毎に個人識別報知情報を記憶管理しておき、訪問者の記録媒体を検知すると、記録媒体から訪問者の訪問者識別情報を検出し、この訪問者識別情報に対応した個人識別報知情報を読み出し、この読み出した個人識別報知情報を報知出力するようにしたので、モニタ室内機のユーザは、例えばモニタ表示の撮影映像を目視しなくても、個人識別報知情報の報知内容に基づき、訪問者が誰であるかを認識することができ、さらには、防犯効果に優れたドアホン装置を提供することができる。
【００１８】
本願請求項２記載のドアホン装置は、本願請求項１記載の構成において、前記個人識別報知情報が、前記訪問者個人を音声識別する個人識別音声情報に相当し、前記制御手段は、前記訪問者識別情報検出手段にて前記訪問者識別情報を検出すると、前記訪問者識別情報に対応した前記個人識別音声情報を前記記憶手段から読み出し、この読み出した個人識別音声情報を音声出力させるべく、前記訪問者報知手段を制御するようにした。
【００１９】
尚、個人識別音声情報としては、訪問者個人を識別する、例えばテーマ音楽、訪問者個人の音声、訪問者個人の名前の読み上げ音声等の音声情報があげられる。
【００２０】
従って、本願請求項２記載のドアホン装置によれば、訪問者の記録媒体を検知すると、この記録媒体から訪問者の訪問者識別情報を検出し、この訪問者識別情報に対応した、例えば訪問者を識別するテーマ音楽や訪問者個人の音声等の個人識別音声情報を読み出し、この個人識別音声情報を報知出力するようにしたので、モニタ室内機のユーザは、例えばモニタ表示の撮影映像を目視しなくても、テーマ音楽や音声等の個人識別音声情報を受聴することで、訪問者が誰であるかを認識することができる。
【００２１】
本願請求項３記載のドアホン装置は、本願請求項１又は２記載の構成において、前記個人識別報知情報が、前記訪問者個人を画像識別する個人識別表示情報に相当し、前記制御手段は、前記訪問者識別情報検出手段にて前記訪問者識別情報を検出すると、前記訪問者識別情報に対応した前記個人識別表示情報を前記記憶手段から読み出し、この読み出した個人識別表示情報を表示出力させるべく、前記訪問者報知手段を制御するようにした。
【００２２】
従って、本願請求項３記載のドアホン装置によれば、訪問者の記録媒体を検知すると、この記録媒体から訪問者の訪問者識別情報を検出し、この訪問者識別情報に対応した、例えばＬＥＤ表示や訪問者個人の名称表示等の個人識別表示情報を表示出力するようにしたので、モニタ室内機のユーザは、例えばＣＣＤカメラにて撮像した訪問者の映像を見なくても、例えば個人名称表示やLED表示等の個人識別表示情報を見ることで、訪問者が誰であるかを認識することができる。
【００２３】
本願請求項４記載のドアホン装置は、本願請求項１乃至３の何れかに記載の構成において、前記記憶手段に訪問者識別情報が記憶更新されると、前記訪問者識別情報に該当する訪問者に対して、前記記憶更新された訪問者識別情報を電子メールで提供する電子メール提供手段を有するようにした。
【００２４】
従って、本願請求項４記載のドアホン装置によれば、訪問者識別情報が記憶更新されると、この訪問者識別情報に該当する訪問者に対して、更新された訪問者識別情報を電子メールで提供するようにしたので、例えば訪問者識別情報の新規登録又は変更登録等の記憶更新に際し、その作業を簡易化することができる。
【００２５】
本願請求項５記載のドアホン装置は、本願請求項１乃至４の何れかに記載の構成において、前記記憶手段に訪問者識別情報が記憶更新されると、前記訪問者識別情報に該当する訪問者に対して、前記記憶更新された訪問者識別情報をウェブで提供するウェブ提供手段を有するようにした。
【００２６】
従って、本願請求項５記載のドアホン装置によれば、訪問者識別情報が記憶更新されると、この訪問者識別情報に該当する訪問者に対して、この記憶更新された訪問者識別情報をウェブで提供するようにしたので、例えば訪問者識別情報の新規登録又は変更登録等の記憶更新があって、しかも、特定多数の訪問者に対して同一内容の訪問者識別情報を提供するような場合、例えば各訪問者がパソコンや携帯電話機を使用してウェブ経由でモニタ室内機にアクセスし、記憶更新された訪問者識別情報を各自ダウンロードさせることで、特定多数の訪問者に対する、記憶更新された訪問者識別情報の提供作業を大幅に簡易化することができる。
【００２７】
本願請求項６記載のドアホン装置は、本願請求項１乃至５の何れかに記載の構成において、前記訪問者識別情報検出手段が、前記訪問者の携帯端末機に画面表示される前記訪問者識別情報を検出するようにした。
【００２８】
従って、本願請求項６記載のドアホン装置によれば、訪問者の携帯電話機等の携帯端末機に画面表示される訪問者識別情報を検出するようにしたので、訪問者は、訪問者識別情報を携帯端末機に登録しておき、この携帯端末機の表示部に訪問者識別情報を表示させ、この携帯端末機の表示部に表示した訪問者識別情報を訪問者識別情報検出手段に近づけて検出させるだけで済むため、訪問者の操作負担を軽減することができる。
【００２９】
本願請求項７記載のドアホン装置は、本願請求項１乃至６の何れかに記載の構成において、前記訪問者識別情報が、前記訪問者を識別する二次元コードに相当し、前記訪問者識別情報検出手段は、前記二次元コードを記録した記録媒体から前記二次元コードを検出する二次元コード検出手段を有し、前記制御手段は、前記二次元コード検出手段にて前記二次元コードを検出すると、前記二次元コードに対応した前記個人識別報知情報を前記記憶手段から読み出し、この読み出した個人識別報知情報を報知出力させるべく、前記訪問者報知手段を制御するようにした。
【００３０】
従って、本願請求項７記載のドアホン装置によれば、訪問者識別情報を二次元コードで構成し、訪問者の記録媒体を検知すると、この記録媒体から訪問者の二次元コードを検出し、この二次元コードに対応した個人識別報知情報を読み出し、この個人識別報知情報を報知出力するようにしたので、モニタ室内機のユーザは、例えばモニタ表示の撮影映像を目視しなくても、個人識別報知情報の報知内容に基づき、訪問者が誰であるかを認識することができ、さらには、二次元コードを使用することで安価で、かつ防犯効果に優れたドアホン装置を提供することができる。
【００３１】
本願請求項８記載のドアホン装置は、訪問者を検知すると、撮像動作を開始する撮像手段を備えた室外ドアホンと、前記室外ドアホンにて前記訪問者を検知すると、前記訪問者の来訪を報知すると共に、前記撮像手段にて撮像した映像を表示する訪問者報知手段を備えたモニタ室内機とを有するドアホン装置であって、前記室外ドアホンは、前記訪問者を識別する二次元コードを記録した前記訪問者の記録媒体を検知する記録媒体検知手段と、前記記録媒体検知手段にて前記記録媒体を検知すると、前記撮像手段にて前記記録媒体の撮像動作を開始し、前記撮像手段にて撮像した前記記録媒体の映像から前記二次元コードを検出する二次元コード検出手段とを有し、前記モニタ室内機は、前記二次元コード毎に、前記訪問者を音声識別する個人識別音声情報を記憶管理する記憶手段と、前記二次元コード検出手段にて前記二次元コードを検出すると、前記二次元コードに対応した前記個人識別音声情報を前記記憶手段から読み出し、この読み出した個人識別音声情報を音声出力させるべく、前記訪問者報知手段を制御する制御手段とを有するようにした。
【００３２】
従って、本願請求項８記載のドアホン装置によれば、訪問者を識別する二次元コード毎に訪問者を音声識別する、例えばテーマ音楽や訪問者個人の音声等の個人識別音声情報を記憶しておき、室外ドアホン側で訪問者の記録媒体を検知すると、前記撮像手段にて前記記録媒体の撮像動作を開始し、この撮像した映像から二次元コードを検出し、この二次元コードに対応した個人識別音声情報を読み出し、この個人識別音声情報を報知出力するようにしたので、モニタ室内機のユーザは、モニタ表示の撮影映像を目視しなくても、例えばテーマ音楽や個人音声等の個人識別音声情報を受聴することで、訪問者が誰であるかを認識することができ、さらには、二次元コードを使用することで、安価で、かつ防犯効果に優れたドアホン装置を提供することができる。
【００３３】
本願請求項９記載のドアホン装置は、本願請求項８記載の構成において、前記モニタ室内機が、前記訪問者を識別する新規の二次元コードを入力する二次元コード入力手段を有し、前記制御手段は、前記二次元コード入力手段による前記新規の二次元コードの入力を検出すると、前記新規の二次元コードを前記記憶手段に記憶するようにした。
【００３４】
従って、本願請求項９記載のドアホン装置によれば、例えばパソコンで作成した新規の二次元コードを二次元コード入力手段にて入力し、この新規の二次元コードを記憶手段に記憶するようにしたので、訪問者に対応した二次元コードを順次登録更新することができる。
【００３５】
本願請求項１０記載のドアホン装置は、本願請求項９記載の構成において、前記モニタ室内機が、前記記憶手段に二次元コードが記憶更新されると、前記二次元コードに該当する訪問者に対して、前記記憶更新された二次元コードを電子メールで提供する電子メール提供手段を有するようにした。
【００３６】
従って、本願請求項１０記載のドアホン装置によれば、二次元コードが記憶更新されると、この二次元コードに該当する訪問者に対して、前記記憶更新された二次元コードを電子メールで提供するようにしたので、例えば二次元コードの新規登録又は変更登録等の記憶更新があったとしても、訪問者に対して記憶更新された二次元コードを提供する作業を簡易化することができる。
【００３７】
本願請求項１１記載のドアホン装置は、本願請求項９又は１０記載の構成において、前記モニタ室内機が、前記記憶手段に二次元コードが記憶更新されると、前記二次元コードに該当する訪問者に対して、前記記憶更新された二次元コードをウェブで提供するウェブ提供手段を有するようにした。
【００３８】
従って、本願請求項１１記載のドアホン装置によれば、二次元コードが記憶更新されると、この二次元コードに該当する訪問者に対して、この記憶更新された二次元コードをウェブで提供するようにしたので、例えば二次元コードの新規登録又は変更登録等の記憶更新があって、しかも、特定多数の訪問者に対して同一内容の二次元コードを提供するような場合、各訪問者がパソコンや携帯電話機を使用してウェブ経由でモニタ室内機にアクセスし、記憶更新された二次元コードを各自ダウンロードさせることで、特定多数の訪問者に対する、記憶更新された二次元コードの提供作業を大幅に簡易化することができる。
【００３９】
本願請求項１２記載のドアホン装置は、本願請求項８乃至１１の何れかに記載の構成において、前記記憶手段が、前記二次元コード毎に同二次元コードの有効期限を示す有効期限情報を記憶管理し、前記モニタ室内機は、現在日時を計時する計時手段と、前記二次元コード検出手段にて前記二次元コードを検出すると、前記二次元コードに対応した前記有効期限情報を前記記憶手段から読み出し、前記計時手段の計時結果に基づき、この読み出した有効期限情報が有効期限内であるか否かを判定する有効期限判定手段とを有し、前記制御手段は、前記有効期限判定手段にて前記有効期限情報が有効期限内であると判定されると、前記二次元コードに対応した前記個人識別音声情報を前記記憶手段から読み出すと共に、前記有効期限判定手段にて前記有効期限情報が有効期限内でないと判定されると、前記二次元コードに対応した前記個人識別音声情報の読み出し動作を禁止するようにした。
【００４０】
従って、本願請求項１２記載のドアホン装置によれば、二次元コード毎に同二次元コードの有効期限を示す有効期限情報を記憶管理しておき、二次元コードを検出すると、この二次元コードに対応した有効期限情報が有効期限内であるか否かを判定し、有効期限内であると判定されると、二次元コードに対応した個人識別音声情報を読み出すと共に、有効期限内でないと判定されると、二次元コードに対応した個人識別音声情報の読出出力を禁止するようにしたので、二次元コードの有効期限を定めることで、防犯システムの安全性を確保することができる。
【００４１】
本願請求項１３記載のドアホン装置は、本願請求項８乃至１２の何れかに記載の構成において、前記個人識別音声情報に使用する音楽情報をインターネット経由でダウンロードする音楽情報ダウンロード手段を有し、前記制御手段は、前記音楽情報ダウンロード手段にてダウンロードした前記音楽情報を、前記二次元コードと対応付けて、前記個人識別音声情報として前記記憶手段に記憶するようにした。
【００４２】
従って、本願請求項１３記載のドアホン装置によれば、インターネット経由で音楽情報をダウロードし、このダウンロードした音楽情報を二次元コードと対応付けて個人識別音声情報として記憶管理するようにしたので、個人識別音声情報としてバリエーションに富んだ音楽情報を簡単に取得することができる。
【００４３】
本願請求項１４記載のドアホン装置は、本願請求項８乃至１３の何れかに記載の構成において、前記記憶手段が、前記モニタ室内機に対して着脱可能な記憶媒体で構成するようにした。
【００４４】
従って、本願請求項１４記載のドアホン装置によれば、記憶手段をモニタ室内機に対して着脱可能な記憶媒体で構成するようにしたので、他の記憶媒体、あるいは他装置でのダウンロードデータも活用でき、さらに内蔵メモリ容量の制約を受けることがなくなる。
【００４５】
本願請求項１５記載のドアホン装置は、本願請求項８乃至１４の何れかに記載の構成において、前記記憶手段が、前記二次元コード毎に、ドアに配置した電気錠の解錠及び施錠を制御する電気錠情報とを記憶管理し、前記制御手段は、前記二次元コード検出手段にて前記二次元コードを検出すると、前記二次元コードに対応した前記電気錠情報を前記記憶手段から読み出し、この電気錠情報に基づき、前記電気錠を制御するようにした。
【００４６】
従って、本願請求項１５記載のドアホン装置によれば、二次元コード毎に電気錠情報を記憶管理し、二次元コードを検出すると、この二次元コードに対応した電気錠情報を読み出し、この電気錠情報に基づき電気錠を制御するようにしたので、電気錠の解錠又は施錠操作を自動的に行うことができる。
【００４７】
本願請求項１６記載のドアホン装置は、本願請求項８乃至１４の何れかに記載の構成において、前記室外ドアホンが、前記二次元コード検出手段にて前記二次元コードを検出すると、この検出結果を報知出力する検出結果報知手段を有するようにした。
【００４８】
従って、本願請求項１６記載のドアホン装置によれば、室外ドアホン側に二次元コードが検知されると、その検出結果を報知出力するようにしたので、室外ドアホン側にいる訪問者は、その報知出力に基づき、二次元コードが正常に検出されたことを認識することができる。
【００４９】
本願請求項１７記載のドアホン装置は、本願請求項８乃至１６の何れかに記載の構成において、前記モニタ室内機が、前記撮像手段にて撮像した映像を録画する録画手段を有し、前記制御手段は、前記二次元コード検出手段にて前記二次元コードを検出すると、前記撮像手段にて撮像した映像の録画を禁止すべく、前記録画手段を制御するようにした。
【００５０】
従って、本願請求項１７記載のドアホン装置によれば、二次元コードを検出すると、撮像手段にて二次元コードを撮像することになるが、この撮像した二次元コードの映像を録画しても無駄なことから、同映像の録画を禁止するようにしたので、録画容量の大幅節減を図ることができる。
【００５１】
本願請求項１８記載のドアホン装置は、本願請求項８乃至１７の何れかに記載の構成において、前記記憶手段が、前記二次元コードを識別する識別番号毎に、少なくとも前記個人識別音声情報と、前記二次元コードとを記憶管理するテーブルを有するようにした。
【００５２】
従って、本願請求項１８記載のドアホン装置によれば、二次元コードを識別する識別番号毎に、少なくとも個人識別音声情報及び二次元コードを記憶管理するテーブルを記憶手段に持たせるようにしたので、個人識別音声情報を識別番号毎に記憶管理することができる。
【００５３】
本願請求項１９記載のドアホン装置は、本願請求項８乃至１９の何れかに記載の構成において、前記二次元コードをクイックレスポンスコードとした。
【００５４】
従って、本願請求項１９記載のドアホン装置によれば、クイックレスポンスコードを検出すると、このクイックレスポンスコードに対応した個人識別音声情報を読み出し、この個人識別音声情報を音声出力するようにしたので、モニタ室内機のユーザは、モニタ表示を目視しなくても、訪問者を識別報知する、例えばテーマ音楽等の個人識別音声情報を受聴することで、訪問者が誰であるかを認識することができ、さらには、クイックレスポンスコードを使用することで防犯効果に優れたドアホン装置を提供することができる。
【００５５】
本願請求項２０記載のドアホン装置の訪問者報知方法は、訪問者を識別する二次元コードに対応付けて、前記訪問者を音声識別する個人識別音声情報をモニタ室内機内の記憶手段に記憶するステップと、前記二次元コードを記録した前記訪問者の記録媒体を室外ドアホン側で検知するステップと、前記室外ドアホンにて前記記録媒体を検知すると、前記記録媒体の撮像動作を開始するステップと、前記撮像した前記記録媒体の映像から前記二次元コードを検出するステップと、前記二次元コードを検出すると、前記二次元コードに対応した個人識別音声情報を前記記憶手段から読み出すステップと、前記個人識別音声情報を読み出すと、この読み出した個人識別音声情報に基づき、前記訪問者の来訪を報知出力するステップとを有するようにした。
【００５６】
従って、本願請求項２０記載のドアホン装置の訪問者報知方法によれば、訪問者を識別する二次元コードに対応付けて個人識別音声情報を記憶しておき、室外ドアホンにて訪問者の記録媒体を検知すると、この記録媒体の撮像動作を開始し、この撮像した記録媒体の映像から訪問者の二次元コードを検出し、この二次元コードに対応した個人識別音声情報を読み出し、この読み出した個人識別音声情報に基づく、前記訪問者の訪問を報知出力するようにしたので、モニタ室内機のユーザは、モニタ表示を目視しなくても、個人識別音声情報を受聴することで、訪問者を認識することができ、しかも、二次元コードを使用することで、より一層の防犯効果の向上を取得することができる。
【００５７】
以下、図面に基づいて本発明のドアホン装置における実施の形態を示すテレビドアホン装置について説明する。図１は本実施の形態を示すテレビドアホン装置全体の概略構成を示すブロック図である。
【００５８】
図１に示すテレビドアホン装置１は、玄関ドア外側に配置されたテレビドアホン子機（以下、単に子機と称する）２と、室内３Ａに配置されたテレビドアホン親機（以下、単に親機と称する）３と、玄関ドアを施解錠する電気錠４とを有している。
【００５９】
子機２は、訪問者の記録媒体、例えば携帯電話機１００を静電的に検知する近接センサ１１と、訪問者の来訪を室内３Ａの親機３に通知するための呼出ボタン１２と、被写体の撮像動作を開始するＣＣＤカメラ１３とを備えている。尚、近接センサ１１は、例えば静電容量型近接センサに相当し、ＣＣＤカメラ１３の近傍に携帯電話機１００の表示部１００Ａがかざされたことを検知するセンサである。
【００６０】
親機３は、子機２の呼出ボタン１２のボタン操作を検出すると、訪問者の来訪を報知すべく、呼出音を音声出力するスピーカ５１と、呼出ボタン１２のボタン操作に伴うＣＣＤカメラ１３からの訪問者の映像を画面表示するモニタ表示部５２とを有している。
【００６１】
また、親機３は、後述するが、子機２の呼出ボタン１２のボタン操作を検出しなくても、近接センサ１１にて訪問者の携帯電話機１００を検知すると、訪問者の来訪を報知すべく、訪問者に対応した、例えばテーマ音楽等の音楽情報を音声出力するものである。
【００６２】
親機３は、子機２と接続する接続ライン５、電気錠４と接続する接続ライン１０及び、パソコン（以下、単にＰＣと称する）６と接続するＰＣケーブル７の接続インタフェースを司る外部インタフェース（後述する）と、インターネット８上のＡＤＳＬ回線８ＡのＡＤＳＬルータ８Ｂと接続するＬＡＮ回線９の接続インタフェースを司るネットワーク接続インタフェース（後述する）とを有している。
【００６３】
ＰＣ６は、後述する訪問者を識別するクイックレスポンドコード（ＱＲコード）等の各種情報を作成し、このＱＲコード等の各種情報を親機３に伝送するものである。また、親機３では、ＰＣ６にて作成した訪問者のＱＲコード等の各種情報を記憶管理するものである。
【００６４】
また、親機３は、ネットワーク接続インタフェースを通じてインターネット８経由で、例えば訪問者の携帯電話機１００に通信アクセスし、例えば電子メールで新規のＱＲコードを訪問者の携帯電話機１００に提供するものである。
【００６５】
訪問者の携帯電話機１００は、親機３からのＱＲコードを取得すると、このＱＲコードを表示部１００Ａに表示可能にすべく、このＱＲコードを記憶保持するものである。
【００６６】
図２は本実施の形態に関わる子機２内部の概略構成を示すブロック図である。
【００６７】
図２に示す子機２は、近接センサ１１、呼出ボタン１２及び、レンズ部１３Ａを備えたＣＣＤカメラ１３と、室外に音声出力するスピーカ１４と、室外の音声を収音するマイクロホン１５と、スピーカ１４にて音声出力する音声信号を増幅する音源アンプ１６と、ＣＣＤカメラ１３にて撮像した映像信号に画像処理を施す画像処理部１７と、マイクロホン１５及びスピーカ１４に関わる音声信号及び、ＣＣＤカメラ１３にて撮像した映像信号等を重畳する信号重畳部１８と、親機３との接続インタフェースを司る親子間インタフェース１９と、青色ＬＥＤ２０Ａと、赤色ＬＥＤ２０Ｂと、これら青色ＬＥＤ２０Ａ及び赤色ＬＥＤ２０Ｂを駆動制御するＬＥＤドライバ２０と、子機２全体を制御する子機側制御部２１と、近接センサ１１、呼出ボタン１２、音源アンプ１６、画像処理部１７、親子間インタフェース１９、ＬＥＤドライバ２０及び子機側制御部２１間相互にデータ通信を行う子機側データバス２２とを有している。
【００６８】
ＣＣＤカメラ１３は、呼出ボタン１２のボタン操作を検出すると、被写体、例えば訪問者の撮像動作を開始すると共に、呼出ボタン１２のボタン操作を検出しなくても、近接センサ１１にて訪問者の携帯電話機１００を検知すると、この携帯電話機１００の表示したＱＲコードを撮像すべく、ＱＲコード撮像用設定内容に設定変更し、ＱＲコードの撮像動作を開始するものである。尚、訪問者は、携帯電話機１００の表示部１００Ａに表示したＱＲコードをＣＣＤカメラ１３のレンズ部１３Ａにかざすものとする。
【００６９】
信号重畳部１８は、映像信号と音声信号とを重畳し、これら重畳された映像信号及び音声信号を、接続ライン５を通じて親機３に伝送すると共に、親機３からの音声信号を、接続ライン５を通じて音源アンプ１６に供給するものである。
【００７０】
画像処理部１７は、ＣＣＤカメラ１３にて撮像した映像信号に画像処理を施す、例えばＱＲコードの映像信号の場合、画像キャプチャリング処理やＱＲコード事前認識処理等を実行するものである。
【００７１】
尚、画像キャプチャリング処理は、ＣＣＤカメラ１３にて撮像した映像信号からＱＲコードの認識に必要な画像領域を抽出する処理である。また、ＱＲコード事前認識処理は、画像キャプチャリング処理にて抽出した画像に対して、サイズ補正、コントラスト補正、角度補正、歪補正及び色補正等の補正処理を施すことで、ＱＲコードを正常に認識するための事前処理である。
【００７２】
図３は本実施の形態に関わる親機３内部の概略構成を示すブロック図である。
【００７３】
図３に示す親機３は、スピーカ５１及びモニタ表示部５２の他に、ＡＤＳＬルータ８Ｂと接続するＬＡＮ回線９との通信インタフェースを司るネットワーク接続インタフェース５３と、子機２と接続する接続ライン５、電気錠４と接続する接続ライン１０及び、ＰＣ６と接続するＰＣケーブル７の接続インタフェースを司る外部インタフェース５４と、子機２側の近接センサ１１の検知状況を監視する近接センサ監視部５５と、子機２側のＣＣＤカメラ１３にて撮像した映像信号を一時記憶するカメラ画像処理メモリ５６と、モニタ表示部５２を制御するモニタ表示制御部５７と、親機３に対してＳＤカード５８ＡやＵＳＢメモリ５８Ｂ等の記憶媒体５８を着脱可能とし、この記憶媒体５８を記憶制御する記憶媒体制御部５９と、カメラ画像処理メモリ５６に一時記憶したＱＲコードの映像信号に対してＱＲコード認識処理を実行するＱＲコード認識処理部６０と、カメラ画像処理メモリ５６に一時記憶した映像信号を録画する録画メモリ６１と、音楽情報を記憶する音楽情報メモリ６２と、この音楽情報メモリ６２にて記憶した音楽情報をスピーカ５１に増幅出力する音源アンプ６３と、外部インタフェース５４を制御する外部インタフェース制御部６４と、ネットワーク接続インタフェース５３を通じてＷｅｂ通信を実行するＷｅｂサーバ部６５と、インターネット通信プロトコルのＴＣＰ／ＩＰ（ＩＰｖ４／ＩＰｖ６）、ＨＴＴＰ／ＳＴＭＰ／ＰＯＰ等のＩＰ処理を実行するＩＰプロトコル処理部６６と、ネットワーク接続インタフェース５３を通じて電子メール通信を実行する電子メール制御部６７と、後述するＱＲコードを含むコード認識情報等の各種情報を記憶管理するＱＲ管理情報テーブル６８と、カメラ画像処理メモリ５６、録画メモリ６１、音楽情報メモリ６２及びＱＲ管理情報テーブル６８を制御するメモリ制御部６９と、この親機３全体を制御するシステム制御部７０と、親機３内のデータ伝送路である親機側データバス７１とを有している。尚、音楽情報メモリ６２に記憶する音楽情報は、例えばＭＰ３等の音楽データに相当するものである。
【００７４】
図４は本実施の形態に関わるＱＲ管理情報テーブル６８のテーブル内容を示す説明図である。
【００７５】
図４に示すＱＲ管理情報テーブル６８は、ＱＲコードを識別するＱＲ識別番号８１毎に、訪問者を識別するＱＲコードを含むコード認識情報８２と、例えば訪問者の氏名を示す名称情報８３と、ＱＲコードの有効期限を示す有効期限情報８４と、訪問者の音楽情報を記憶する音声情報メモリ６２のアドレス番号を示す音楽情報番号８５とを記憶管理している。
【００７６】
コード認識情報８２は、このＱＲコードを付与する訪問者の電話発信番号９１と、メール送信アドレス９２と、ＱＲ識別番号９３と、例えば訪問者の名称を示す属性情報９４と、電気錠４を自動的に解錠するか否かを示す電気錠解錠情報９５と、ＱＲコード９６とを有している。
【００７７】
例えば“お父さん”の場合、図４に示すように、ＱＲ識別番号８１は“０００１”、名称情報８３は“お父さん”、有効期限情報８４は“なし”、音楽情報番号８５は“ＡＡ”、コード認識情報８２内の電話発信番号９１は“お父さん”の携帯電話機１００の電話番号“０９０×××○○○”、メール送信アドレス９２は“お父さん”の携帯電話機１００のメールアドレス“×××＠ＡＡＡ”、ＱＲ識別番号９３は“０００１”、属性情報９４は“お父さん”、電気錠解錠情報９５は“Ｙｅｓ”、お父さんのＱＲコード９６が記憶管理されているものである。
【００７８】
また、“友人１”の場合、ＱＲ識別番号８１は“０００６”、名称情報８３は“友人１”、有効期限情報８４は“２００４．８．１５〜８．２０”、音楽情報番号８５は“ＤＤ”、コード認識情報８２内の電話発信番号９１は“友人１”の携帯電話機１００の電話番号“０９０○○○○○○”、メール送信アドレス９２は“友人１”の携帯電話機１００のメールアドレス“ＢＢＢ＠ＤＤＤ”、ＱＲ識別番号９３は“０００６”、属性情報９４は“友人１”、電気錠解錠情報９５は“Ｎｏ”、友人１のＱＲコード９６が記憶管理されているものである。
【００７９】
図１に示すＰＣ６は、ＱＲコード登録アプリケーションを使用して、ＱＲコードを提供する訪問者の電話発信番号９１、メール送信アドレス９２、ＱＲ識別番号９３、属性情報９４及び電気錠解錠情報９５を入力し、これら電話発信番号９１、メール送信アドレス９２、ＱＲ識別番号９３、属性情報９４及び電気錠解錠情報９５に基づきＱＲコード９６を生成し、このＱＲコード９６を含むコード認識情報８２を生成するものである。
【００８０】
ＰＣ６は、ＱＲコード９６を含むコード認識情報８２を生成すると、ＱＲコード９６の有効期限を指定することで有効期限情報８４を生成すると共に、ＱＲコード９６に対応した所望の音楽情報をインターネット８経由で取得し、これらコード認識情報８２、有効期限情報８４及び音楽情報を親機３に伝送するものである。
【００８１】
親機３では、ＰＣ６からのコード認識情報８２、有効期限情報８４及び音楽情報を受信すると、コード認識情報８２内のＱＲ識別番号９３に基づき同ＱＲ管理情報テーブル６８内のＱＲ識別番号８１に対応付けて、同コード認識情報８２及び有効期限情報８４を記憶すると共に、ＰＣ６からの音楽情報を音楽情報メモリ６２に記憶し、このアドレス番号を音楽情報番号８５としてＱＲ管理情報テーブル６８に記憶するものである。また、親機３では、同ＱＲ識別番号に対応付けて、コード認識情報８２内の属性情報９４に基づき名称情報８２をＱＲ管理情報テーブル６８に記憶管理するものである。
【００８２】
親機３は、子機２側のＣＣＤカメラ１３にて撮像した訪問者の映像は録画メモリ６１に録画するが、撮像した映像がＱＲコードの場合は同ＱＲコードの映像の録画メモリ６１への録画を禁止するものである。
【００８３】
尚、請求項記載のドアホン装置はテレビドアホン装置１、室外ドアホンは子機２、モニタ室内機は親機３、記録媒体は携帯電話機１００、記録媒体検知手段は近接センサ１１、訪問者報知手段はスピーカ５１やモニタ表示部５２、記憶手段は音楽情報メモリ６２及びＱＲ管理情報テーブル６８、訪問者識別情報検出手段及び二次元コード検出手段はＣＣＤカメラ１３及びＱＲコード認識処理部６０、制御手段、計時手段及び有効期限判定手段はシステム制御部７０、電子メール提供手段は電子メール制御部６７、ウェブ提供手段はＷｅｂサーバ部６５、撮像手段はＣＣＤカメラ１３、二次元コード入力手段は外部インタフェース５４、音楽情報ダウンロード手段はＷｅｂサーバ部６５及びＰＣ６、検出結果報知手段は子機側制御部２１、青色ＬＥＤ２０Ａ及び赤色ＬＥＤ２０Ｂ、録画手段は録画メモリ６１及びメモリ制御部６９、訪問者識別情報はＱＲコード、個人識別報知情報（個人識別音声情報）は音楽情報、電気錠情報は電気錠解錠情報に相当するものである。
【００８４】
次に本実施の形態を示すテレビドアホン装置１の動作について説明する。図５は本実施の形態に関わる訪問者ＱＲコード生成処理に関わるＰＣ６の処理動作を示すフロー図である。
【００８５】
図５に示す訪問者ＱＲコード生成処理とは、ＰＣ６にて訪問者識別用のＱＲコードを含むコード認識情報等の情報を作成し、ＱＲコードを含むコード認識情報等の情報を親機３に伝送する処理である。
【００８６】
図５においてＰＣ６は、訪問者識別用のＱＲコードを作成するためのＱＲコード登録アプリケーションを起動すると（ステップＳ１１）、ＱＲコード付与相手になる訪問者の電話発信番号９１、メール送信アドレス９２、ＱＲ識別番号９３、属性情報９４及び電気錠解錠情報９５等の情報を入力するための訪問者ＱＲコード入力欄を画面表示する（ステップＳ１２）。
【００８７】
ＰＣ６は、訪問者ＱＲコード入力欄に対する訪問者の情報入力が完了したか否かを判定する（ステップＳ１３）。ＰＣ６は、訪問者ＱＲコード入力欄に対する訪問者の情報入力が完了したのであれば、これら入力情報に基づき、ＱＲ識別番号を含むコード認識情報８２を生成する（ステップＳ１４）。
【００８８】
ＰＣ６は、コード認識情報８２に基づきＱＲコード９６を生成し（ステップＳ１５）、ＱＲコード９６の有効期限情報８４の指定操作を検出したか否かを判定する（ステップＳ１６）。尚、有効期限情報８４の指定操作とは、ＱＲコード９６の有効期限、例えば２００４年１１月３日の午前９時３０分から２００４年１１月４日の午後９時３０分までといった具合に期間設定や有効期限なしを指定するものである。
【００８９】
ＰＣ６は、有効期限情報８４の指定操作を検出したと判定されると、その指定操作に基づきＱＲコード９６の有効期限情報８４を生成し（ステップＳ１７）、このＱＲコードに対応したユーザ（訪問者）の音楽情報の指定操作を検出したか否かを判定する（ステップＳ１８）。尚、音楽情報の指定操作とは、例えば所望の音楽情報を他のサイトからダウンロードする操作に相当するものである。
【００９０】
ＰＣ６は、音楽情報の指定操作を検出したのであれば、他のサイトからの音楽情報のダウンロード動作を開始し（ステップＳ１９）、音楽情報のダウンロード取得が完了したか否かを判定する（ステップＳ２０）。
【００９１】
ＰＣ６は、ＱＲコード９６を含むコード認識情報８２、有効期限情報８４及び音楽情報を親機３に伝送することで（ステップＳ２１）、この処理動作を終了する。
【００９２】
図５に示す訪問者ＱＲコード生成処理によれば、ＰＣ６の設定操作でＱＲコード９６を含むコード認識情報８２、有効期限情報８４及び音楽情報を作成し、このコード認識情報８２、有効期限情報８４及び音楽情報を親機３に伝送するようにしたので、親機３のユーザは、ＰＣ６を使用した簡単な操作で新規訪問者のＱＲコード９６を含むコード認識情報８２、有効期限情報８４や音楽情報を変更することができる。
【００９３】
訪問者ＱＲコード生成処理によれば、ＱＲコードを提供する訪問者の電話発信番号９１、メール送信アドレス９２、ＱＲ識別番号９３、属性情報９４及び電気錠解錠情報９５等の入力情報に基づきＱＲコード９６を生成するようにしたので、同入力情報を変えることで訪問者毎に異なる様々なＱＲコードを簡単に作成することができる。
【００９４】
図６は本実施の形態の親機側ＱＲコード登録処理に関わる親機３内のシステム制御部７０の処理動作を示すフロー図である。
【００９５】
図６に示す親機側ＱＲコード登録処理とは、ＰＣ６からＱＲコード９６を含むコード認識情報８２、有効期限情報８４及び音楽情報を受信すると、これらコード認識情報８２及び有効期限情報８４をＱＲ管理情報テーブル６８に記憶すると共に、音楽情報を音楽情報メモリ６２に記憶する処理である。
【００９６】
図６に示す親機３のシステム制御部７０は、外部インタフェース５４を通じてＰＣ６からＱＲコード９６を含むコード識別情報８２、有効期限情報８４及び音楽情報を受信したか否かを判定する（ステップＳ３１）。
【００９７】
システム制御部７０は、ＰＣ６からのコード識別情報８２、有効期限情報８４及び音楽情報を受信したと判定されると、メモリ制御部６９を通じて、コード認識情報８２内のＱＲ識別番号９３の同ＱＲ識別番号８１に対応付けて、同コード認識情報８２及び有効期限情報８４をＱＲ管理情報テーブル６８に記憶する（ステップＳ３２）。尚、コード認識情報８２内の属性情報９４を名称情報８３とし、ＱＲ識別番号８１に対応付けてＱＲ管理情報テーブル６８に記憶管理するものである。
【００９８】
さらに、システム制御部７０は、メモリ制御部６９を通じて、ＰＣ６からの音楽情報を音楽情報メモリ６２に記憶する（ステップＳ３３）。
【００９９】
システム制御部７０は、音楽情報を音楽情報メモリ６２に記憶すると、この音楽情報メモリ６２のアドレス番号を音楽情報番号８５としてＱＲ識別番号８１に対応付けてＱＲ管理情報テーブル６８に記憶する（ステップＳ３４）。その結果、ＱＲ管理情報テーブル６８には、名称情報８３、有効期限情報８４、音楽情報番号８５及びコード認識情報８２が記憶管理されたことになる。
【０１００】
システム制御部７０は、これら名称情報８３、有効期限情報８４、音楽情報番号８５及びコード認識情報８２がＱＲ管理情報テーブル６８に記憶管理されると、このＱＲ管理情報テーブル６８からＱＲ識別番号８１に対応したコード認識情報８２内のメール送信アドレス９２及びＱＲコード９６を読み出し、電子メール制御部６７を通じて、メール送信アドレス９２に基づき電子メールの添付ファイルで同ＱＲコード９６を配信し（ステップＳ３５）、この処理動作を終了する。尚、親機３は、訪問者の携帯電話機１００に対して同訪問者のＱＲコードを電子メールで提供することができる。
【０１０１】
図６に示す親機側ＱＲコード登録処理によれば、ＰＣ６からＱＲコード９６を含むコード認識情報８２、有効期限情報８４及び音楽情報を受信すると、コード認識情報８２及び有効期限情報８４をＱＲ管理情報テーブル６８に記憶すると共に、音楽情報を音楽情報メモリ６２に記憶し、この音楽情報メモリ６２のアドレス番号を音楽情報番号８５としてＱＲ管理情報テーブル６８に記憶するようにしたので、新規の訪問者のＱＲコードや音楽情報を新規登録又は変更登録することができる。
【０１０２】
また、図６に示す親機側ＱＲコード登録処理においては、ステップＳ３５にて電子メールの添付ファイルでＱＲコード付与相手の携帯電話機１００に新規のＱＲコードを個別配信するようにしたが、例えば団地の集会場のように、例えば団地住人等の特定多数の相手（訪問者）の来訪を報知すべく、同一内容のＱＲコードを付与するような場合、各訪問者は、自分の携帯電話機１００を利用して親機３のＷｅｂサーバ部６５にアクセスし、このＷｅｂサーバ部６５から同ＱＲコードを各自ダウンロードするようにしても良いことは言うまでもなく、この場合、特定多数の訪問者に対するＱＲコードの提供作業を大幅に簡易化することができる。
【０１０３】
図７は本実施の形態の子機側訪問者ＱＲコード検出処理に関わる子機２内部の子機側制御部２１の処理動作を示すフロー図である。
【０１０４】
図７に示す子機側訪問者ＱＲコード検出処理とは、近接センサ１１にて訪問者の携帯電話機１００を検知すると、この訪問者の携帯電話機１００の表示部１００Ａに表示されたＱＲコードをＣＣＤカメラ１３にて撮像し、この撮像したＱＲコードの映像を親機３側に伝送する処理である。
【０１０５】
図７において子機側制御部２１は、近接センサ１１がＯＮしたか否かを判定する（ステップＳ４１）。尚、近接センサ１１は、訪問者が携帯電話機１００をＣＣＤカメラ１３のレンズ部１３Ａにかざすと、この携帯電話機１００を静電的に検知してＯＮ作動するものである。
【０１０６】
子機側制御部２１は、近接センサ１１がＯＮ作動したのであれば、訪問者の携帯電話機１００を検知したものと判断し、訪問者の携帯電話機１００の表示部１００Ａに表示したＱＲコードを撮像すべく、ＣＣＤカメラ１３に対して画像処理部１７で画像キャプチャリング処理を実行する（ステップＳ４２）。
【０１０７】
子機側制御部２１は、画像処理部１７で画像キャプチャリング処理を実行した後、ＣＣＤカメラ１３に対してＱＲコード事前認識処理を実行する（ステップＳ４３）。
【０１０８】
子機側制御部２１は、画像処理部１７でＱＲコード事前認識処理を実行した後、ＣＣＤカメラ１３にて訪問者の携帯電話機１００の表示画面からＱＲコードの撮像動作を開始する（ステップＳ４４）。尚、訪問者は、子機２側のＣＣＤカメラ１３のレンズ部１３Ａに、自分の携帯電話機１００の表示部１００Ａに表示中のＱＲコードをかざすものとする。
【０１０９】
子機側制御部２１は、ＣＣＤカメラ１３にて撮像したＱＲコードの映像に対してＱＲコード認識処理を実行する（ステップＳ４５）。尚、ＱＲコード認識処理とは、携帯電話機１００の表示画面上から撮像したＱＲコードがＱＲコードとして正常認識することができるか否かを判定するための処理である。
【０１１０】
子機側制御部２１は、ＱＲコード認識処理にてＱＲコードが認識ＯＫであるか否かを判定する（ステップＳ４６）。
【０１１１】
子機側制御部２１は、ＱＲコードが認識ＯＫであると判定されると、青色ＬＥＤ２０Ａを点灯表示し（ステップＳ４７）、この認識ＯＫとされたＱＲコードの映像を親機３に伝送することで（ステップＳ４８）、この処理動作を終了する。尚、訪問者は、青色ＬＥＤ２０Ａの点灯表示で携帯電話機１００の表示画面上のＱＲコードが正常に撮像されたこと、すなわち認識ＯＫを認識することができる。
【０１１２】
また、子機側制御部２１は、ステップＳ４６にてＱＲコードが認識ＯＫでないと判定されると、ＱＲコードの認識がＮＧであると判断し（ステップＳ４９）、赤色ＬＥＤ２０Ｂを点灯表示し（ステップＳ５０）、再度、ＱＲコードの撮像動作を実行すべく、ステップＳ４１に移行する。尚、訪問者は、赤色ＬＥＤ２０Ｂの点灯表示で携帯電話機１００の表示画面上のＱＲコードが正常に撮像されなかったこと、すなわち認識ＮＧを認識することができる。
【０１１３】
図７に示す子機側訪問者ＱＲコード検出処理によれば、近接センサ１１にて訪問者の携帯電話機１００を検知すると、ＣＣＤカメラ１３にて訪問者の携帯電話機１００の表示部１００Ａに表示中のＱＲコードの撮像動作を開始し、この撮像したＱＲコードがＱＲコードとして正常認識されると、このＱＲコードの映像を親機３に伝送するようにしたので、ＣＣＤカメラ１３にて訪問者の携帯電話機１００の表示部１００ＡからＱＲコードを自動的に検出することができる。
【０１１４】
また、子機側訪問者ＱＲコード検出処理によれば、ＣＣＤカメラ１３にて撮像したＱＲコードの映像が認識ＯＫであると判定されると、青色ＬＥＤ２０Ａを点灯表示するようにしたので、訪問者は、ＱＲコードが正常に認識されたことを認識することができる。尚、青色ＬＥＤ２０Ａの点灯表示でＱＲコードの認識ＯＫを訪問者に通知するようにしたが、アラーム音等の音声で通知するようにしても良い。
【０１１５】
また、子機側訪問者ＱＲコード検出処理によれば、ＣＣＤカメラ１３にて撮像したＱＲコードの映像が認識ＮＧであると判定されると、赤色ＬＥＤ２０Ｂを点灯表示するようにしたので、訪問者はＱＲコードが正常に認識されなかったことを認識することができる。尚、赤色ＬＥＤ２０Ｂの点灯表示でＱＲコードの認識ＮＧを訪問者に通知するようにしたが、アラーム音等の音声で通知するようにしても良い。
【０１１６】
図８は本実施の形態の親機側訪問者報知処理に関わる親機３内部のシステム制御部７０の処理動作を示すフロー図である。
【０１１７】
図８に示す親機側訪問者報知処理とは、子機２のＣＣＤカメラ１３にて撮像した訪問者のＱＲコードの映像を受信すると、このＱＲコードに対応するＱＲコードがＱＲ管理情報テーブル６８内にあるか否かを判定し、同ＱＲコードがあると判定されると、ＱＲコードに対応する音楽情報を音楽情報メモリ６２から読み出し、この音楽情報をスピーカ５１から音声出力する処理である。
【０１１８】
図８においてシステム制御部７０は、外部インタフェース５４を通じて子機２から訪問者のＱＲコードの映像を受信したか否かを判定する（ステップＳ６１）。尚、システム制御部７０は、子機２から受信した映像をカメラ画像処理メモリ５６に一時記憶し、ＱＲコード認識処理部６０を通じてカメラ画像処理メモリ５６上で映像からＱＲコードを認識するものである。
【０１１９】
システム制御部７０は、ステップＳ６１にてＱＲコードの映像を受信したのであれば、メモリ制御部６９を通じて、同ＱＲコードに対応したＱＲ識別番号８１がＱＲ管理情報テーブル６８内にあるか否かを判定する（ステップＳ６２）。
【０１２０】
システム制御部７０は、メモリ制御部６９を通じて、ＱＲコードに対応したＱＲ識別番号８１があると判定されると、このＱＲ識別番号８１をＱＲ管理情報テーブル６８から読み出し（ステップＳ６３）、ＱＲ識別番号８１に対応した有効期限情報８４がＱＲ管理情報テーブル６８内にあるか否かを判定する（ステップＳ６４）。
【０１２１】
システム制御部７０は、メモリ制御部６９を通じて、ＱＲ識別番号８１に対応した有効期限情報８４があると判定されると、現在日時が有効期限内であるか否かを判定する（ステップＳ６５）。尚、有効期限情報８４が“なし”と設定されている場合、有効期限は無期限であると判断するものである。
【０１２２】
システム制御部７０は、現在日時が有効期限内であると判定されると、このＱＲコードが有効であるものと判断し、ＱＲ識別番号８１に対応した音楽情報番号８５をＱＲ管理情報テーブル６８から読み出し（ステップＳ６６）、この音楽情報番号８５に対応した音楽情報を音楽情報メモリ６２から読み出す（ステップＳ６７）。
【０１２３】
システム制御部７０は、音楽情報メモリ６２から音楽情報を読み出すと、この音楽情報にデコード処理を施し（ステップＳ６８）、音源アンプ６３を通じて音楽再生動作を開始する（ステップＳ６９）。尚、この際、スピーカ５１からは訪問者のテーマ音楽が音声出力されることになるため、親機３のユーザは、このテーマ音楽を受聴することで、訪問者が誰であるかを認識することができる。
【０１２４】
さらに、システム制御部７０は、この再生動作を終了したか否かを判定する（ステップＳ７０）。システム制御部７０は、この再生動作が終了したのであれば、ＱＲ管理情報テーブル６８内のＱＲ識別番号８１に対応した電気錠解錠情報９５が“Ｙｅｓ”であるか否かを判定する（ステップＳ７１）。
【０１２５】
システム制御部７０は、電気錠解錠情報９５が“Ｙｅｓ”であると判定されると、外部インタフェース５４を通じて電気錠４に対して電気錠解錠を指示するコマンドを伝送することで（ステップＳ７２）、この処理動作を終了する。尚、電気錠４は、電気錠解錠指示コマンドを検出すると、解錠動作を実行するものである。つまり、親機３のユーザは、訪問者に応対しなくても、自動的に電気錠４を解錠することができるものである。
【０１２６】
また、システム制御部７０は、ステップＳ６１にてＱＲコードを受信したのでなければ、この処理動作を終了する。
【０１２７】
システム制御部７０は、ステップＳ６２にてＱＲコードに対応したＱＲ識別番号８１がＱＲ管理情報テーブル６８内にないと判定されると、又はステップＳ６５にて現在日時が有効期限内でないと判定されると、外部インタフェース５４を通じて、子機２に対して赤色ＬＥＤ２０Ｂを点滅させる点滅コマンドを指示し（ステップＳ７３）、この処理動作を終了する。尚、子機２は、親機３からの点滅コマンドを検出すると、赤色ＬＥＤ２０Ｂを点滅表示させる。従って、訪問者は、子機２の赤色ＬＥＤ２０Ｂの点滅表示で、携帯電話機１００に画面表示中のＱＲコードが無効であることを認識することができる。
【０１２８】
また、システム制御部７０は、ステップＳ７１にてＱＲ識別番号８１に対応した電気錠解錠情報９５が“Ｙｅｓ”でない、すなわち“Ｎｏ”であると判定されると、電気錠４の施錠を維持したまま、この処理動作を終了する。
【０１２９】
図８に示す親機側訪問者報知処理によれば、子機２から訪問者のＱＲコードを受信すると、このＱＲコードに対応したＱＲ識別番号８１がＱＲ管理情報テーブル６８内にあるか否かを判定し、ＱＲ識別番号８１があると判定されると、このＱＲ識別番号８１に対応した音楽情報番号８５を読み出し、この音楽情報番号８５に対応した音楽情報を音楽情報メモリ６２から読み出し、この音楽情報を音声出力するようにしたので、親機３のユーザは、訪問者に応対しなくても、音声出力中の音楽情報を受聴することで、訪問者が誰であるかを認識することができる。
【０１３０】
また、親機側訪問者報知処理によれば、訪問者のＱＲコードに対応したＱＲ識別番号８１がＱＲ管理情報テーブル６８内にあったとしても、ＱＲコードの有効期限が切れている場合、同ＱＲコードが無効と判断し、子機２側の赤色ＬＥＤ２０Ｂを点滅表示するようにしたので、訪問者は、子機２の赤色ＬＥＤ２０Ｂの点滅表示を目視することで、ＱＲコードが無効であることを認識することができる。
【０１３１】
この親機側訪問者報知処理によれば、訪問者のＱＲコードに対応したＱＲ識別番号８１がＱＲ管理情報テーブル６８内にないと判定されると、同ＱＲコードが無効と判断し、子機２側の赤色ＬＥＤ２０Ｂを点滅表示するようにしたので、訪問者は、子機２の赤色ＬＥＤ２０Ｂの点滅表示を目視することで、ＱＲコードが無効であることを認識することができる。
【０１３２】
この親機側訪問者報知処理によれば、訪問者のＱＲコードに対応したＱＲ識別番号８１に関わる音楽情報がスピーカ５１から音声出力され、ＱＲ識別番号８１に対応した電気錠解錠情報９５が“ＯＫ”であると判定されると、電気錠４を自動的に解錠するようにしたので、親機３のユーザは、訪問者に応対しなくても、特定の操作を行わずに、電気錠４を自動的に解錠することができる。例えば訪問者が家族（例えば“お父さん”）の場合は自動的に解錠しても良い場合が多いため、このような場合には電気錠解錠情報９５を“Ｙｅｓ”に設定しておくと良い。
【０１３３】
また、親機側訪問者報知処理によれば、訪問者のＱＲコードに対応したＱＲ識別番号８１に関わる音楽情報がスピーカ５１から音声出力されたとしても、ＱＲ識別番号８１に対応した電気錠解錠情報９５が“Ｎｏ”であると判定されると、電気錠４の施錠を維持するようにしたので、親機２のユーザには、安易に電気錠４を解錠するような事態を確実に防止することができる。例えば訪問者が家族ではなく、ＱＲコードを予め付与した友人（例えば“友人１”）や宅配人の場合は勝手に電気錠４を解錠して宅内に入れるのも困るため、この様な場合には電気錠解錠情報９５を“Ｎｏ”に設定しておくと良い。
【０１３４】
親機側訪問者報知処理によれば、電気錠解錠情報９５が“Ｙｅｓ”であったとしても、ＱＲコードの有効期限が切れている場合には、電気錠４の解錠を禁止するようにしたので、安全性の確保を図ることができる。
【０１３５】
本実施の形態によれば、訪問者を識別するＱＲコードのＱＲ識別番号８１毎に訪問者を音声識別する、例えばテーマ音楽や訪問者個人の音声等の音楽情報を記憶しておき、訪問者が携帯電話機１００に表示中のＱＲコードを子機２側のＣＣＤカメラ１３にかざすと、子機２の近接センサ１１にて携帯電話機１００を検知し、ＣＣＤカメラ１３の撮像動作を開始し、この撮像した映像から訪問者のＱＲコードを検出し、このＱＲコードのＱＲ識別番号８１に対応した音楽情報番号８５を読み出し、この音楽情報番号８５に対応した音楽情報を読み出し、この音楽情報をスピーカ出力するようにしたので、親機３のユーザは、モニタ表示の撮影映像を見なくても、例えばテーマ音楽や個人音声等の音楽情報を受聴することで、訪問者が誰であるかを認識することができ、さらには、ＱＲコードを使用することで、利便性に優れたドアホン装置を提供することができる。
【０１３６】
本実施の形態によれば、ＰＣ６で訪問者に付与するＱＲコードを含むコード認識情報８２、有効期限情報８４及び電気錠解錠情報９５を生成し、これらＱＲコードを含む情報をＱＲ管理情報テーブル６８に記憶するようにしたので、親機３のユーザは、ＰＣ６を使用して訪問者に対応したＱＲコードを順次作成し、この訪問者に対応したＱＲコード等の情報を登録更新することができる。
【０１３７】
本実施の形態によれば、ＰＣ６にて新規の訪問者に付与するＱＲコードを作成し、このＱＲコードを含む情報等がＱＲ管理情報テーブル６８に記憶更新されると、このＱＲコードに該当する訪問者の携帯電話機１００に対して、更新されたＱＲコードを電子メールの添付ファイルで提供するようにしたので、ＱＲコードの新規登録や変更登録等の記憶更新に際し、その作業を大幅に簡易化することができる。
【０１３８】
本実施の形態によれば、ＰＣ６にて新規の訪問者に付与するＱＲコードを作成し、このＱＲコードを含む情報等がＱＲ管理情報テーブル６８に記憶更新されると、この記憶更新されたＱＲコードに該当する訪問者に対してＱＲコードをＷｅｂ経由で提供するようにしたので、例えば特定多数の訪問者に対して同一内容のＱＲコードを提供するような場合、例えば各訪問者がパソコンや携帯電話機を使用してＷｅｂ経由で親機３のＷｅｂサーバ部６５にアクセスし、この記憶更新されたＱＲコードを各自ダウンロードさせることで、特定多数の訪問者に対するＱＲコードの提供作業を大幅に簡易化することができる。
【０１３９】
本実施の形態によれば、訪問者の携帯電話機１００に画面表示されるＱＲコードを検出するようにしたので、訪問者は、ＱＲコードを携帯電話機１００に登録しておき、この携帯電話機１００の表示部１００ＡにＱＲコードを表示させ、この携帯電話機１００の表示部１００Ａに表示したＱＲコードを子機２のＣＣＤカメラ１３に近づけて検出させるだけ済むため、訪問者の操作負担を軽減することができる。
【０１４０】
本実施の形態によれば、ＱＲ識別番号８１毎にＱＲコードの有効期限を示す有効期限情報８４を記憶管理しておき、訪問者からのＱＲコードを受信すると、有効期限情報８４に基づきＱＲコードが有効期限内であるか否かを判定し、有効期限内であると判定されると、ＱＲ識別番号８１に対応した音楽情報を読み出し、この音楽情報をスピーカ出力すると共に、有効期限が切れていると判定されると、音楽情報の読み出し動作を禁止し、子機側２の赤色ＬＥＤ２０Ｂを点滅表示するようにしたので、ＱＲコードの有効期限を定めることで、防犯システムの安全性を確保することができる。
【０１４１】
本実施の形態によれば、音楽情報メモリ６２に記憶管理する訪問者のＱＲコードに対応した音楽情報はインターネット８経由でダウンロードするようにしたので、バリエーションに富んだ音楽情報を簡単に取得することができる。
【０１４２】
本実施の形態によれば、ＱＲコード識別番号８１毎に電気錠解錠情報９５を記憶管理しておき、訪問者からのＱＲコードを受信すると、このＱＲコードのＱＲ識別番号８１に対応した電気錠解錠情報９５が“Ｙｅｓ”であるか否かを判定し、電気錠解錠情報９５が“Ｙｅｓ”であると判定されると、電気錠４を解錠するようにしたので、親機３のユーザは、訪問者に応対しなくても、電気錠４を自動的に解錠することができる。
【０１４３】
また、本実施の形態によれば、ＱＲ識別番号８１に対応した電気錠解錠情報９５が“Ｎｏ”であると判定されると、電気錠４の施錠を維持するようにしたので、親機３のユーザは、訪問者に応対しなくても、電気錠４の施錠を維持することで安全性を確保することができる。
【０１４４】
本実施の形態によれば、子機２側のＱＲコード認識動作が正常であると判定されると、青色ＬＥＤ２０Ａを点灯表示すると共に、子機２側のＱＲコード認識動作が正常でないと判定されると、赤色ＬＥＤ２０Ｂを点灯表示するようにしたので、訪問者は、これら子機２の青色ＬＥＤ２０Ａ及び赤色ＬＥＤ２０Ｂの点灯表示を目視することで、自分のＱＲコードが正常に検出されたか否かを認識することができる。
【０１４５】
本実施の形態によれば、呼出ボタン１２のボタン操作を検出すると、子機２側のＣＣＤカメラ１３の撮像動作を開始し、このＣＣＤカメラ１３にて撮像した訪問者の映像を親機３側の録画メモリ６１に録画するようにしたが、ＣＣＤカメラ１３にてＱＲコードを撮像した場合、このＱＲコードの映像を録画しても無駄なことから、同映像の録画を禁止するようにしたので、録画メモリ６１の録画容量を大幅に節減することができる。
【０１４６】
尚、上記実施の形態においては、ＱＲコードに関わる音楽情報番号に対応付けて、音楽情報メモリ６２に記憶する音楽情報を読み出し、この音楽情報を音声出力することで、訪問者が誰であるかを認識することができるようにしたが、音楽情報の代わりに、例えば訪問者の個人名称等のテキスト画像情報、例えば名称情報８３をモニタ表示部５２に画面表示するようにしても良く、この場合、親機３のユーザは、ＣＣＤカメラ１３にて撮像した訪問者の映像ではなく、モニタ表示部５２に表示中の個人名称を見ることで、訪問者が誰であるかを認識することができる。
【０１４７】
また、上記実施の形態においては、親機３の音楽情報メモリ６２に記憶する音楽情報をＰＣ６からダウンロードし、音楽情報番号８５毎に音楽情報を音楽情報メモリ６２に記憶するようにしたが、例えば他の機器で音楽情報を、持ち運びに便利なＵＳＢメモリ５８ＢやＳＤカード５８Ａ等の記憶媒体５８に記憶しておき、この記憶媒体５８を親機３に装着することで、この記憶媒体５８に記憶した音楽情報のアドレス番号をＱＲ管理情報テーブル６８内の音楽情報番号８５として記憶管理するようにしても良く、この場合、音楽情報のメモリ容量増大に対応することができる。
【０１４８】
また、親機３には、Ｗｅｂサーバ部６５を備えているため、このＷｅｂサーバ部６５を利用して他のサーバから所望の音楽情報をダウンロードし、この音楽情報を音楽情報メモリ６２にＱＲ識別番号８１と対応付けて記憶するようにしても良い。
【０１４９】
また、上記実施の形態においては、訪問者のＱＲコードを作成すると、同ＱＲコードを訪問者に電子メールの添付ファイルで配信するようにしたが、例えば宅配業者の訪問がある場合は、予め宅配業者からの訪問予定日の電話を受け付け、同宅配業者に対応したＱＲコードを作成し、このＱＲコードを宅配業者に電子メールで配信するようにすれば、より一層の防犯効果をあげることができる。
【０１５０】
また、上記実施の形態においては、ＱＲコードを記録する記録媒体として訪問者の携帯電話機１００を例にあげて説明したが、例えば携帯電話機１００に限らず、ＱＲコードを画面表示可能とするモバイル端末や、ＱＲコードを印刷したカード等であっても良いことは言うまでもない。
【０１５１】
また、上記実施の形態においては、図７に示す子機側訪問者ＱＲコード検出処理におけるステップＳ４５のＱＲコード認識処理及びステップＳ４６のＱＲコード認識ＯＫであるか否かを判定する処理を子機２側で実行するようにしたが、例えば子機２側ではＣＣＤカメラ１３の映像に対するピント処理だけを実行して同映像をそのまま親機３に伝送し、親機３側でＱＲコード認識処理やＱＲコード認識ＯＫであるか否かを判定する処理を実行させるようにしても良く、この場合には、親機３側でＱＲコード認識ＯＫであると判定されると、子機２側に青色ＬＥＤ２０Ａを点灯させるコマンドを伝送し、親機３側でＱＲコード認識ＮＧであると判定されると、子機２側に赤色ＬＥＤ２０Ｂを点灯させるコマンドを伝送する構成とすれば、同様の効果が得られることは言うまでもない。
【産業上の利用可能性】
【０１５２】
本発明のドアホン装置は、訪問者を識別する訪問者識別情報毎に訪問者を識別報知するテーマ音楽等の個人識別報知情報を記憶しておき、室外ドアホンにて訪問者を検知すると、この訪問者の訪問者識別情報を検出し、この検出した訪問者識別情報に対応する個人識別報知情報を読み出し、この個人識別報知情報をモニタ室内機から報知出力するようにしたので、モニタ室内機のユーザは、個人識別報知情報の報知内容に基づき、モニタ表示を見なくても、訪問者が誰であるかを認識することができるため、防犯性に優れた集合住宅や宅内等のテレビドアホン装置に有用である。
【図面の簡単な説明】
【０１５３】
【図１】本発明のドアホン装置に関わる実施の形態を示すテレビドアホン装置全体の概略構成を示すブロック図
【図２】本実施の形態に関わる子機内部の概略構成を示すブロック図
【図３】本実施の形態に関わる親機内部の概略構成を示すブロック図
【図４】本実施の形態に関わる親機内部のＱＲ管理情報テーブルのテーブル内容の一例を示す説明図
【図５】本実施の形態に関わる訪問者ＱＲコード生成処理に関わるＰＣの処理動作を示すフロー図
【図６】本実施の形態に関わる親機側ＱＲコード登録処理に関わる親機内部のシステム制御部の処理動作を示すフロー図
【図７】本実施の形態に関わる子機側訪問者ＱＲコード検出処理に関わる子機内部の子機側制御部の処理動作を示すフロー図
【図８】本実施の形態に関わる訪問者報知処理に関わる親機内部のシステム制御部の処理動作を示すフロー図
【符号の説明】
【０１５４】
１  テレビドアホン装置（ドアホン装置）
２  テレビドアホン子機（子機：室外ドアホン）
３  テレビドアホン親機（親機：モニタ室内機）
４  電気錠
６  パソコン（ＰＣ：音楽情報ダウンロード手段）
１１  近接センサ（記録媒体検知手段）
１３  ＣＣＤカメラ（訪問者識別情報検出手段、二次元コード検出手段及び撮像手段）
２０Ａ  青色ＬＥＤ（検出結果報知手段）
２０Ｂ  赤色ＬＥＤ（検出結果報知手段）
２１  子機側制御部（検出結果報知手段）
５１  スピーカ（訪問者報知手段）
５２  モニタ表示部（訪問者報知手段）
５４  外部インタフェース（二次元コード入力手段）
６０  ＱＲコード認識処理部（訪問者識別情報検出手段及び二次元コード検出手段）
６１  録画メモリ（録画手段）
６２  音楽情報メモリ（記憶手段）
６５  Ｗｅｂサーバ部（ウェブ提供手段及び音楽情報ダウンロード手段）
６７  電子メール制御部（電子メール提供手段）
６８  ＱＲ管理情報テーブル（記憶手段）
６９  メモリ制御部（録画手段）
７０  システム制御部（制御手段、有効期限判定手段及び計時手段）
１００  携帯電話機（記録媒体）
【図１】
2006054591.tif 000003
【図２】
2006054591.tif 000004
【図３】
2006054591.tif 000005
【図４】
2006054591.tif 000006
【図５】
2006054591.tif 000007
【図６】
2006054591.tif 000008
【図７】
2006054591.tif 000009
【図８】
2006054591.tif 000010